(57)【特許請求の範囲】
【請求項１】
周囲を覆う外枠（Ｆ1)と、遊技者から目視される遊技面を有し、前記外枠（Ｆ1)の前側で左右方向の片開き状態で開閉可能にヒンジ連結される前面枠（Ｆ2)とを備えた遊技機において、
前記外枠（Ｆ1)のヒンジ連結側の反対側の縦枠材（６）の内側上下部に固定された上下一対の係合片（７）に係脱可能に施錠すべく、
前記前面枠（Ｆ2)との開放端側裏面に上下方向に沿って固定された取付板（１１）と、当該取付板（１１）に対して上下方向にスライド可能に組付けられて第１引張スプリング（１８）により上向きの係合方向に付勢保持されて、鍵を使用した解錠操作により前記第１引張スプリング（１８）の付勢力に抗して下向きの解錠方向にスライド可能な錠板（１２）と、当該錠板（１２）の上端部及び下端部に、それぞれ片持ちでしかも後向きの状態で回動可能にピン（２１）連結されて、第２引張スプリング（２８）により前記係合片（７）に対して上向きの係合姿勢に付勢保持され、前記錠板（１２）の解錠操作により下動して前記一対の係合片（７）との係合が解除される上下一対の鉤片（１９）とを備え、前記鉤片（１９）の回動に関連して前記錠板（１２）が適宜上下動される構成の錠装置であって、
前記錠板（１２）の所定部位に、当該錠板（１２）と前記鉤片（１９）との係合を維持すると共に、前記鉤片（１９）の下端縁と適宜回動を許容された状態で係合して当該鉤片（１９）を前記係合片（７）に対して係合姿勢位置に保持するためのストッパー（３１）が形成され、
前記鉤片（１９）には、外枠（Ｆ1)に対して前面枠（Ｆ2)が閉じられる途中に、前記第１引張スプリング（１８）の付勢力に抗して前記錠板（１２）が下動しながら前記係合片（７）の下端縁に対して摺動する傾斜摺動面（２２）と、外枠（Ｆ1)に対して前面枠（Ｆ2)が閉じられる直前において、前記第１引張スプリング（１８）の付勢力により前記錠板（１２）が上動して前記係合片（７）と係合可能な係合溝（２４）と、当該鉤片（１９）の正逆方向の回動により前記係合片（７）に対して係合・離脱し得る係合板部（２３）とが、自由端側から上記順序で連続して形成され、
前記外枠（Ｆ1)に前面枠（Ｆ2)が閉鎖されて前記係合片（７）に対して係合状態にある前記鉤片（１９）が、外枠（Ｆ1)内に不正に挿入されたワイヤー（Ｗ）を利用した不正解錠操作力により解錠姿勢方向に回動される場合に、前記鉤片（１９）の回動に前記係合板部（２３）が連動して回動することにより前記係合片（７）に係合して、前記鉤片（１９）が係合片（７）から離脱解錠することを阻止するように構成されていることを特徴とする遊技機の錠装置。
【請求項２】
前記鉤片（１９）の係合板部（２３）の上端部には、前記係合片（７）の上端部と離脱可能に係合し得る係合突起（２３ａ）が形成されていることを特徴とする請求項１に記載の遊技機の錠装置。
【発明の詳細な説明】
【０００１】
【発明の属する技術分野】
本発明は、外枠と、隣の遊技機の球貸装置等との間の隙間からピアノ線等のワイヤーを挿入して、外枠と前面枠とを施錠している錠装置を解錠して、前面枠が不正に開かれるのを防止するための遊技機の錠装置に関するものである。
【０００２】
【従来の技術】
遊技機を構成する外枠に対して、該外枠に片開き可能にヒンジ連結された前面枠が開かれるのを防止する錠装置として、前記前面枠の開放端の裏面端縁に遊技面と直交する垂直面内において上下動可能なように、断面略Ｌ字形の取付部材を介して前記前面枠の遊技面と略直交して取付けられる錠板部材と、該錠板部材の上下両端部にそれぞれ設けられた一対の鉤部材と、前記一対の鉤部材と係合可能なように前記外枠に設けられた一対の係合片とから成り、前記鉤部材と前記係合片との係合を解除することにより前記前面枠が前記外枠に対して片開き可能となる構成のものが知られている。
【０００３】
図９は、上記構成の従来の錠装置の上端部の右側面図である。この従来の錠装置では、錠板６１の上下端部には、それぞれ鉤片６２が一体となって設けられていた。よって、外枠Ｆ1 と、隣の遊技機の球貸装置等との間の隙間からピアノ線等の剛性を有するワイヤーＷを挿入して、該ワイヤーＷの先端の引掛け部Ｗａを、上方の鉤片６２の係合部６２ａに引っ掛けて、前記ワイヤーＷを下方又は斜下方に向けて引っ張ると、図９で実線で示されるように、上下端部に一対の鉤片６２が一体に形成されている錠板６１は、下方に移動して、外枠Ｆ1 に設けられた係合片６３と前記鉤片６２との係合が解除されて、錠装置が不正に解錠される。これにより、外枠Ｆ1 に対して前面枠Ｆ2 が開かれて、該前面枠Ｆ2 の背面側に装着されている制御ボックス内のロム等が不正に交換されることがある。なお、図８において、６４は、前面枠Ｆ2 に錠板６１を取付けている断面Ｌ字状をした取付板であり、Ｆ3 は、前面枠Ｆ2 に対して片開き可能に取付けられたガラス枠を示す。
【０００４】
また、実公平4-32150 号公報には、上記錠装置の別の構造に係るものが記載されている。この錠装置は、断面略Ｌ字形の取付部材における前面枠の遊技面と略直交する起立板部の上下端部に一対の鉤部材が回動ピンを介して回動可能に支持されていると共に、前記取付板部に沿って上下動する錠板部材の上下端部に前記一対の鉤部材の別の部位が連結ピンを介して回動可能に連結され、シリンダ錠から成る解錠ユニットの操作により前記錠板部材を上下動させることにより、前記一対の鉤部材を各支点ピンを中心に同時に回動させて、外枠に取付けられた係合片との係合を解除させ、これにより外枠に対する前面枠の施錠を解錠して、前面枠を片開き可能にしたものである。
【０００５】
前記公報に記載の錠装置は、一対の鉤部材は、取付部材の起立板部に対して支点ピンを介して回動可能に取付けられていて、前記支点ピンとは異なる部位において連結ピンを介して錠板部材に連結された構成であるので、不正操作によって一方の鉤部材を回動させると、錠板部材が移動して、他方の鉤部材を同方向に回動させて、一対の鉤部材と、外枠の係合片との係合が解除される。この結果、一方の鉤部材を回動させるのみで、外枠に対する前面枠の施錠が解錠されて、前面枠が不正に開かれる問題を有する。
【０００６】
【発明が解決しようとする課題】
本発明は、外枠に対して前面枠を施錠する錠装置において、不正操作により前記錠装置が解錠されるのを簡単な構造により防止することを課題としている。
【０００７】
【課題を解決するための手段】
上記の課題を解決するために請求項１に記載の発明は、周囲を覆う外枠と、遊技者から目視される遊技面を有し、前記外枠の前側で左右方向の片開き状態で開閉可能にヒンジ連結される前面枠とを備えた遊技機において、前記外枠のヒンジ連結側の反対側の縦枠材の内側上下部に固定された上下一対の係合片に係脱可能に施錠すべく、前記前面枠の開放端側裏面に上下方向に沿って固定された取付板と、当該取付板に対して上下方向にスライド可能に組付けられて第１引張スプリングにより上向きの係合方向に付勢保持されて、鍵を使用した解錠操作により前記第１引張スプリングの付勢力に抗して下向きの解錠方向にスライド可能な錠板と、当該錠板の上端部及び下端部に、それぞれ片持ちでしかも後向きの状態で回動可能にピン連結されて、第２引張スプリングにより前記係合片に対して上向きの係合姿勢に付勢保持され、前記錠板の解錠操作により下動して前記一対の係合片との係合が解除される上下一対の鉤片とを備え、前記鉤片の回動に関連して前記錠板が適宜上下動される構成の錠装置であって、前記錠板の所定部位に、当該錠板と前記鉤片との係合を維持すると共に、前記鉤片の下端縁と適宜回動を許容された状態で係合して当該鉤片を前記係合片に対して係合姿勢位置に保持するためのストッパーが形成され、前記鉤片には、外枠に対して前面枠が閉じられる途中に、前記第１引張スプリングの付勢力に抗して前記錠板が下動しながら前記係合片の下端縁に対して摺動する傾斜摺動面と、外枠に対して前面枠が閉じられる直前において、前記第１引張スプリングの付勢力により前記錠板が上動して前記係合片と係合可能な係合溝と、当該鉤片の正逆方向の回動により前記係合片に対して係合・離脱し得る係合板部とが、自由端側から上記順序で連続して形成され、前記外枠に前面枠が閉鎖されて前記係合片に対して係合状態にある前記鉤片が、外枠内に不正に挿入されたワイヤーを利用した不正解錠操作力により解錠姿勢方向に回動される場合に、前記鉤片の回動に前記係合板部が連動して回動することにより前記係合片に係合して、前記鉤片が係合片から離脱解錠することを阻止するように構成されていることを特徴としている。
【０００８】
請求項１の発明によれば、開放状態の前面枠が外枠に向けて閉じられる途中において、上下の各鉤片は、その傾斜摺動面を係合片の下端縁に摺動状態で係合させながら、錠板の下動を伴い下向きの解錠姿勢方向に僅かに回動して後方の外枠側に移動し、傾斜摺動面が係合片の下端縁を通過した直後に第１引張スプリングにより錠板の上動と共に上下の各鉤片が第２引張スプリングにより上向きの係合姿勢方向に復帰し、係合片の下端縁に鉤片の係合溝が係合した状態で施錠される。一方、前面枠の解錠・開放にあたっては、鍵を利用した解錠操作により錠板が下向きの解錠方向にスライドされることに伴い、上下の各鉤片が係合姿勢状態に保持されたまま当該係合片に対して解錠位置（非係合位置）まで下動されて、係合片の下端縁から係合溝が離脱することにより解錠される。この状態で、前面枠を前方に引出すように開放（片開き）することができる。
【０００９】
また、請求項１の発明によれば、外枠に対して前面枠が閉鎖されて係合片と鉤片との係合による施錠状態において、不正解錠操作として外枠の裏側内部に不正に挿入したピアノ線等のワイヤーを前記鉤片に引っ掛けて、鉤片を係合片から離脱する下向きの解錠方向に変動させようとした場合に、当該鉤片がストッパーで適宜許容された分だけ回動されながら錠板と共に引き下げられるのに伴い、鉤片の係合板部が当該鉤片と連動して回動することにより係合片に係合するに至り、その係合時点から鉤片自体の解錠方向への更なる回動が阻止されて前記ワイヤーを悪用した不正解錠が未然に防止される。
【００１０】
また、請求項２の発明は、請求項１の発明において、前記鉤片の係合板部の上端部には、前記係合片の上端部と離脱可能に係合し得る係合突起が形成されていることを特徴としている。
【００１１】
請求項２の発明によれば、鉤片の係合板部の上端部に係合片の上端部と離脱可能に係合し得る係合突起が形成されているため、上記不正解錠時において、鉤片の回動に伴い係合板部が連動して回動することにより前記係合突起を係合片の上端部に係合させることができて、係合片に対して鉤片がより的確に係合ロックされる。従って、不正解錠操作を一層確実に防止できる。
【００１２】
【００１３】
【００１４】
【００１５】
【発明の実施の形態】
以下、実施形態を挙げて、本発明を更に詳細に説明する。図１は、ガラス枠Ｆ3 を閉じたままで前面枠Ｆ2 が開かれた状態の斜視図であり、図２は、前面枠Ｆ2 の開放端の裏面側に装着された錠装置Ｌが見える状態における同様の概略斜視図であり、図３は、パチンコ機の錠装置Ｌの部分の側面図であり、図４は、錠装置Ｌを構成する第１及び第２の各錠装置Ｌ1,Ｌ2 の上端部の斜視図であり、図５は、同じく不正操作により第１錠装置Ｌ1 の解錠が防止される状態を示す側面図であり、図６は、錠装置Ｌの概略平面図である。
【００１６】
図１及び図２において、方形枠状をした外枠Ｆ1 の左端部の上下端には、それぞれヒンジ連結板１が設けられていて、遊技盤（図示せず）が装着される前面枠Ｆ2 は、前記外枠Ｆ1 の各ヒンジ連結板１にヒンジピン２を介して片開き可能にヒンジ連結されている。また、前面枠Ｆ2 の前面には、該前面枠Ｆ2 に装着された遊技盤の遊技領域のみが遊技者から目視可能にするためにガラス枠Ｆ3 が同様に片開き可能なようにヒンジ連結されている。ガラス枠Ｆ3 は、その背面の遊技盤を透視可能にするために、その中央部に略円形の開口４が設けられている。そして、図１に示されるように前面枠Ｆ2 の前面における開放端側であって、しかも上側の球受皿３と略同一高さの位置に、後述の第１及び第２の各錠装置Ｌ1,Ｌ2 を解錠するためのシリンダ錠から成る解錠ユニット５が、その鍵挿入孔が前面に露出した状態で設けられている。
【００１７】
次に、図３ないし図６を参照して、第１及び第２の各錠装置Ｌ1,Ｌ2 から成る錠装置Ｌについて説明する。第１錠装置Ｌ1 は、外枠Ｆ1 に対して前面枠Ｆ2 を施錠するためのものであり、第２錠装置Ｌ2 は、前面枠Ｆ2 に対してガラス枠Ｆ3 を施錠するものであり、請求項１の発明（本発明）は、第１錠装置Ｌ1 に実施されている。図２に示されるように、錠装置Ｌは、前面枠Ｆ2 の開放端側（ヒンジ連結側と反対の側）の端部の裏面部に上下方向に沿って装着されている。即ち、前面枠Ｆ2 の前記裏面部には、断面Ｌ形をした取付板１１が上下方向に沿って固定され、該取付板１１の前記裏面部に密着固定された固定板部１１ａには、後述の第２錠装置Ｌ2 の第２錠板４１が上下動可能に支持されていると共に、前記取付板１１の起立板部１１ｂの内側面（係合片７が固定された外枠Ｆ1 の縦枠材６と対向する面）には、第１錠装置Ｌ1 の第１錠板１２が同じく上下動可能に支持されている。前記第１錠板１２は、前面枠Ｆ2 に装着される遊技盤の盤面（遊技面）を基準にすると、該盤面に対して略垂直に配置されている。
【００１８】
また、第１錠板１２には、その上下端部を含む計３箇所に上下方向のスリット状のガイド孔１４が形成されて、前記取付板１１の起立板部１１ｂに設けられた各頭付ガイドピン１５が前記各ガイド孔１４に嵌合されることにより、第１錠板１２は、記取付板１１の起立板部１１ｂに対して上下動可能に支持されている。また、図４及び図５に示されるように、第１錠板１２における上端のガイド孔１４の下方の部分は切り起こされてフック片１６を形成していると共に、取付板１１の固定板部１１ａにおける上昇端位置の前記フック片１６よりも更に上方の部分は切り起こされてフック片１７を形成していて、第１引張スプリング１８の両端部が前記各フック片１６，１７に引っ掛けられている。よって、第１錠板１２は、第１引張スプリング１８の復元力により上方に付勢されているが、前記ガイド孔１４の下端部が前記頭付ガイドピン１５に当接することにより、第１錠板１２の上昇端位置が定められている。
【００１９】
また、第１錠板１２における上下端の各ガイド孔１４が設けられている部分は他の部分よりも広幅に形成されて、鉤片支持部１２ａとなっていて、上下の各鉤片支持部１２ａには、それぞれ第１鉤片１９の基端部が支点ピン２１を介して回動可能に支持されている。この上下一対の第１鉤片１９は、前面枠Ｆ2 を閉じる際に、外枠Ｆ1 の縦枠材６の対応部分に固定された係合片７と係合して、外枠Ｆ1 に対して前面枠Ｆ2 を施錠する部分である。前記係合片７は、その基端部に固定板８が一体となって折り曲げられて形成され、図２に示されるように、前記固定板８を介して外枠Ｆ1 の縦枠材６の内側面に垂直となって固定されている。前記第１鉤片１９は、その自由端となる部分から支点部に向けて上り勾配となる傾斜摺動面２２が形成されていると共に、該傾斜摺動面２２と支点部との間には、上方に起立した係合板部２３が形成され、前記傾斜摺動面２２と前記係合板部２３との間に、外枠Ｆ1 に固定された前記係合片７に対して係合可能な係合溝２４が形成されている。また、図５に示されるように、前記係合板部２３の上端部の外側の前記係合溝２４の側には、係合突起２３ａが突設されている。
【００２０】
そして、前記係合溝２４の底面から前記係合突起２３ａの間の長さは、外枠Ｆ1 に固定された係合片７の上下方向の長さ（高さ）よりも長くなっている。このため、図５で２点鎖線で示されるように、第１鉤片１９の係合板部２３が略垂直となって、その係合溝２４に外枠Ｆ1 の係合片７が係合している状態において、第１鉤片１９の自由端が低くなるように、該第１鉤片１９を支点ピン２１を中心にして回動させると、図５で実線で示されるように、係合板部２３の上端部の係合突起２３ａが、外枠Ｆ1 の係合片７の上端部に当接係合し（第１鉤片１９の当該位置を「係合片当接位置」という）、第１鉤片１９は、前記係合片当接位置を超えて同方向に回動不能な構成になっている。
【００２１】
また、第１錠板１２の上端部と、第１鉤片１９の係合板部２３の上端部とにそれぞれ切り起し形成された各フック片２６，２７に第２引張スプリング２８の両端部を引っ掛けると共に、第１錠板１２の鉤片支持部１２ａの上端を切り起して形成した第１ストッパー片２９に第１鉤片１９の係合板部２３の基端部を当接可能にし、前記第２引張スプリング２８の復元力により第１鉤片１９の係合板部２３が前記第１ストッパー片２９に当接することにより、前記起立位置において、第１鉤片１９が揺動不能となって静止する構成にしてある。このため、第１錠板１２に回動可能に支持された前記第１鉤片１９と外枠Ｆ1 の係合片７とが係合した施錠状態において、これを解錠して前面枠Ｆ2 を開くには、図７に示されるように、前記解錠ユニット５に鍵を挿入して所定方向に回動させることにより、第１錠板１２を下動させて、相対的に第１鉤片１９の係合溝２４から外枠Ｆ1 の係合片７を脱出させて、両者の係合を解除した後に、前面枠Ｆ2 をヒンジピン２を中心にして手前側（遊技者の側）に回動させればよい。なお、前記第２引張スプリング２８の強さ（バネ定数）は、後述の不正防止を実現できる観点から定めれるものであって、その詳細は後述する。
【００２２】
また、第１錠板１２の鉤片支持部１２ａの下端部には、当該部分を切り起して形成された第２ストッパー片３１が設けられ、前面枠Ｆ2 が開いた状態において、第１鉤片１９が前記係合片当接位置を僅かに超えた位置において、第１鉤片１９の下端面が前記第２ストッパー片３１に当接することにより、前記係合片当接位置を僅かに超えた上記位置において、第１鉤片１９は、図５において時計方向に回動しない構成にしてある。このため、図８に示されるように、前面枠Ｆ2 が片開き状態において、これを閉じると、上下一対の第１鉤片１９の先端部（自由端部）の傾斜摺動面２２が外枠Ｆ1 の各係合片７の下端部に当接摺動することにより、取付板１１に対して第１錠板１２が下動して、傾斜摺動面２２の係合溝２４の側の形成端において、傾斜摺動面２２と係合片７に当接摺動が解除されると、第１引張スプリング１８の復元力により、取付板１１に対して第１錠板１２が瞬時に上動して、上下一対の第１鉤片１９の各係合溝２４に外枠Ｆ1 の各係合片７がそれぞれ相対的に挿入されて、両者が係合して施錠されるようになっている。
【００２３】
次に、前面枠Ｆ2 に対してガラス枠Ｆ3 を施錠する第２錠装置Ｌ2 について簡単に説明する。取付板１１の固定板部１１ａには第２錠板４１が、起立板部１１ｂに対する前記第１錠板１２の同一支持構造（ガイド孔４２と頭付ガイドピン４３との係合構造）によって上下動可能に支持されている。ガラス枠Ｆ3 の開放端側の端部の裏面には、上下方向に沿って所定間隔をおいて複数個（通常は３個）の第２鉤片４４が突設されている。
【００２４】
一方、図４に一部が図示されているように、取付板１１の固定板部１１ａ及び第２錠板４１におけるガラス枠Ｆ3 の各第２鉤片４４の位置と対応する位置には、それぞれ第２鉤片４４を挿通させる第１及び第２の各挿通孔４５，４６がそれぞれ形成されている。第１挿通孔４５の上下方向の長さは、第２挿通孔４６のそれよりも僅かに大きくなっていて、第１及び第２の各挿通孔４５，４６の下端がほぼ合致した状態で、各挿通孔４５，４６に第２鉤片４４が挿通された状態では、該第２鉤片４４の上端に形成された係合部４４ａが、第２錠板４１の第２挿通孔４６の上端と係合して、施錠されている。
【００２５】
この施錠状態において、解錠ユニット５に挿入した鍵を、前面枠Ｆ2 の解錠時とは逆方向に回動させるか、或いはパチンコ機の裏面側において、第２錠板４１に一体に設けられた押上げレバー４７（図２及び図３参照）を押し上げると、第２錠板４１と第２鉤片４４との前記係合が解除されて、解錠される構成になっている。なお、第２錠板４１は、該第２錠板４１と取付板１１の固定板部１１ａとに両端が連結された第３引張スプリング４８（図３参照）の復元力により下方に付勢されている。
【００２６】
第１及び第２の各錠装置Ｌ1,Ｌ2 の施錠及び正規の解錠の作用は上記した通りである。ここで、図５に示されるように、パチンコ機の外枠Ｆ1 と、隣のパチンコ機の球貸装置等との間の隙間からピアノ線等のワイヤーＷを挿入して、その先端の引掛け部Ｗａを第１錠装置Ｌ1 の第１鉤片１９の係合溝２４に挿入して引っ掛けた状態で、前記ワイヤーＷを奥方に向いた斜下方に引っ張って、第１鉤片１９と係合片７との係合を解除して不正に解錠しようとすると、以下の理由によって、第１鉤片１９は、支点ピン２１を中心にして時計方向に回動して、係合板部２３の先端部の係合突起２３ａが係合片７の上端部に当接係合して、これを超えて第１鉤片１９が同方向に回動するのが防止される。これにより、第１錠板１２の下動が防止されて、第１鉤片１９と係合片７の係合状態（施錠状態）が維持されて、不正解錠を防止できる。
【００２７】
ここで、第１鉤片１９の支点ピン２１の位置は、その重心位置よりも大きく偏倚しているために、そのままでは、時計方向の回転モーメントによって僅かに時計方向に回動して、第１鉤片１９の係合突起２３ａは、常に係合片７の上端部に係合してしまうことがある。第２引張スプリング２８は、この不具合を防止すべく、第１鉤片１９の起立姿勢を常に維持させて、第１鉤片１９と係合片７との係合解除（解錠）を適正に行えるようにするために設けられたものである。よって、第２引張スプリング２８の強さ（バネ定数）は、上記の観点から定められており、具体的には、上記のような不正操作が行われた場合に、第１鉤片１９は、そのまま下動することなく、支点ピン２１を中心にして回動する大きさに定められる。
【００２８】
また、上記実施形態では、上下一対の第１鉤片１９は、第１錠板１２に対してそれぞれ独立して回動する構成になっているので、上下の各係合片７に対する双方の第１鉤片１９の係合解除が同時に行われないと、第１錠装置Ｌ1 は解錠されない。よって、不正操作者は、上下一対の第１鉤片１９と各係合片７との係合解除を同時に行わないと、不正解錠ができないので、その防止効果が高まる。
【００２９】
【発明の効果】
本発明によれば、外枠に対して片開き状態で開閉可能にヒンジ連結された前面枠を施錠する錠装置において、外枠の裏側内部に不正に挿入されたワイヤーを利用した不正解錠操作により、外枠の係合片に対して係合状態にある鉤片が解錠方向に回動される場合に、鉤片に設けられた係合板部が係合片に係合して、この係合時点から鉤片自体の解錠方向への回動が阻止されて、錠板の下動が阻止されるため、不正解錠が未然に防止される。
【図面の簡単な説明】
【図１】  ガラス枠Ｆ3 を閉じたままで前面枠Ｆ2 が開かれた状態の斜視図である。
【図２】  前面枠Ｆ2 の開放端の裏面側に装着された錠装置Ｌが見える状態における同様の概略斜視図である。
【図３】  パチンコ機の錠装置Ｌの部分の側面図である。
【図４】  錠装置Ｌを構成する第１及び第２の各錠装置Ｌ1,Ｌ2 の上端部の斜視図である。
【図５】  同じく不正操作により第１錠装置Ｌ1 の解錠が防止される状態を示す側面図である。
【図６】  錠装置Ｌの概略平面図である。
【図７】  第１錠装置Ｌ1 の解錠状態の側面図である。
【図８】  第１錠装置Ｌ1 の施錠途中の側面図である。
【図９】  従来の錠装置が不正に解錠される状態を示す右側面図である。
【符号の説明】
Ｆ1 ：外枠
Ｆ2 ：前面枠
Ｌ1 ：第１錠装置（錠装置）
７：係合片
１１：取付板
１２：第１錠板（錠板）
１８：第１引張スプリング
１９：第１鉤片（鉤片）
２１：支点ピン
２３：第１鉤片の係合板部
２３ａ：係合突起
２８：第２引張スプリング
３１：第２ストッパー片（ストッパー）
【図１】
0004062487.tif 000002
【図２】
0004062487.tif 000003
【図３】
0004062487.tif 000004
【図４】
0004062487.tif 000005
【図５】
0004062487.tif 000006
【図６】
0004062487.tif 000007
【図７】
0004062487.tif 000008
【図８】
0004062487.tif 000009
【図９】
0004062487.tif 000010